(57)【特許請求の範囲】
【請求項１】
患者に制限部を形成するためのシステムにおいて、
患者に制限部を形成するように構成された植え込み可能制限装置であって、前記植え込み可能制限装置は、無線信号を送信および／または受信するように構成された植え込み可能通信部材を含む、植え込み可能制限装置と、
患者によって着用されるように構成された着用可能要素であって、前記着用可能要素に連結され、かつ前記植え込み可能通信部材と通信するように無線信号を送信および／または受信するように構成された外部装置を有する、着用可能要素と、
を具備し、
前記外部装置は、前記着用可能要素上の複数の位置に位置可能であり、
前記着用可能要素は、前記外部装置と前記植え込み可能通信部材との間の適切な整列を示すように構成された整列機構を含み、
前記外部装置は、前記着用可能要素上の任意の位置に取り外し可能に取り付けられる外部装置収容具に対し、取り外し可能に収容されることによって、前記着用可能要素上の任意の位置に位置可能である、システム。
【請求項２】
請求項１に記載のシステムにおいて、
前記外部装置は、前記植え込み可能通信部材に近接して位置付け可能で、かつ前記植え込み可能通信部材からデータを受信するように構成されたアンテナを具備する、システム。
【請求項３】
請求項１に記載のシステムにおいて、
前記外部装置は、前記植え込み可能通信部材に電力を送るように構成されている、システム。
【請求項４】
請求項１に記載のシステムにおいて、
前記外部装置は、外部誘導コイルを具備し、
前記植え込み可能通信部材は、内部誘導コイルを具備する、システム。
【請求項５】
請求項４に記載のシステムにおいて、
前記外部誘導コイルは、電力結合を最大にするために、前記内部誘導コイルと実質的に同じ周波数で共振するように構成されている、システム。
【請求項６】
請求項１に記載のシステムにおいて、
前記外部装置は、第１外部装置を具備し、
前記システムは、第２外部装置を含み、
前記第１外部装置および前記第２外部装置は、互いに連結し、かつ互いから所与の距離だけ離れて前記着用可能要素上の複数の位置に位置付け可能である、システム。
【請求項７】
請求項６に記載のシステムにおいて、
前記第１外部装置は、前記植え込み可能通信部材からデータを受信するように構成されており、
前記第２外部装置は、前記第１外部装置によって受信されたデータを保存するように構成されている、システム。
【請求項８】
請求項６に記載のシステムにおいて、
前記第２外部装置は、前記第１外部装置に電力を提供するように構成されている、システム。
【請求項９】
請求項１〜８の何れか１つに記載のシステムにおいて、
前記着用可能要素は、ベスト、シャツ、タンクトップ、ボディースーツ、又は、ジャケットの形態である、システム。
【発明の詳細な説明】
【開示の内容】
【０００１】
〔発明の分野〕
本発明は、植え込み可能制限装置と共に使用するための着用可能要素に関する。
【０００２】
〔発明の背景〕
肥満は、特に米国において、肥満の人の数が増加し続けているので、高まりつつある関心事になっていて、肥満のネガティブな健康上の影響についていっそう学ばれている。病的肥満の人は、理想の体重よりも４５．３６ｋｇ（１００ポンド）以上あり、病的肥満は特に、重篤な健康問題の重大な危険性を提起する。それゆえに、肥満患者の治療に対して大きな注目が向けられている。病的肥満を治療する一方法は、胃の上部分辺りに細長いバンドなどの制限装置を据えることであった。胃バンドは典型的に、固定される端点を備えた流体充填型弾性バルーンを具備し、このバルーンは、食道−胃移行部のすぐ下方の胃を囲い、バンド上方に小さな胃嚢を、そして胃内に縮小されたストーマ開口部（stoma opening）を形成する。流体がバルーン内に注入されると、バンドは胃に対して拡張し、胃内に食物摂取制限部またはストーマを作り出す。この制限を弱めるには、流体がバンドから取り除かれる。バンドの効果は、利用可能な胃の体積を減ずること、したがって、「満腹」になる前に消費されうる食料の量を減ずることである。
【０００３】
食料制限装置は、同様に胃の上部分を囲う機械的調節バンドも具備していた。これらのバンドは、これらのバンドを調節するために、任意の数の弾力性材料またはギア装置、ならびに駆動部材を含む。加えて、液圧利用駆動要素および機械的駆動要素の両方を含む胃バンドが、開発された。そのような調節可能な胃バンドの例は、２０００年５月３０日に発行された、参照によって本明細書に組み込まれる、名称「Mechanical Food Intake Restriction Device」の米国特許第６，０６７，９９１号に開示されている。膨張可能な弾性バルーンを胃腔自体の内部に植え込むことによって、胃腔内に得られる食料分量を制限することも周知である。バルーンは、胃壁に対して拡張するように流体で充填され、それにより、胃内部に得られる食料分量を減ずる。
【０００４】
前述した食料制限装置の各々があるにもかかわらず、安全で効果的な治療には、装置が定期的に監視および調節されて胃に加えられる制限の度合いを変更することを必要とする。従来的に、胃バンドを調節するには、計画的な臨床医来診が必要で、その来診の間に、皮下注射針および注射器が、患者の皮膚を通過し流体を追加したり、バルーンから流体を取り除いたりするために用いられていた。より近年になって、バンドの非侵襲的調節を可能にする、植え込み可能なポンプが開発された。外部プログラマーが、植え込まれたポンプを制御するために遠隔測定法を用いてポンプと通信する。計画的な来診の間、医師が、プログラマーのハンドヘルド部分を胃インプラントの近くに据え、電力（power）および命令信号をインプラントに伝達する。次に、インプラントは、バンドを調節し、反応命令をプログラマーに伝達する。しかしながら、この胃バンド調節の間、調節がどれくらい進行しているのか、およびこの調節は意図された効果を生じるのか、判断することは難しいこともある。しばしば、医師は、それまでの経験をもとに「行き当たりばったり（try as you go）」の方法を採択する場合があり、調節の結果は、患者が胃腔の完全な閉塞を感じるか、またはバンドが胃の組織の糜爛を引き起こす、数時間または数日後まで、明らかにされないこともある。
【０００５】
さらに、インプラントが電力を供給され、かつ監視されるために、患者は医師のところまで行く必要があることは、患者および医師の両者にとって時間の浪費である。毎日の活動の間に定期的に取られたデータと比較すると、医師への来診の間にインプラントを監視することはまた、インプラントがどのように機能しているかを最も良く示すものでは必ずしもない。したがって、患者が監視および電力供給システムを携帯することを可能にする方法および装置に対する必要性がある。これは、患者および医師の双方にとって、植え込み可能制限装置の使い易さ、信頼性、および効率を大きく改善することになるであろう。加えて、日々の活動の間、患者により着用可能な装置を提供することにより、定期的にインプラント状態および生理状態を監視することができることは、患者の胃または食道の組織、および全体的な健康に損害を与えうる調節に伴う問題を見過ごす危険性を減ずることができる。
【０００６】
〔発明の概要〕
本発明は、植え込み可能制限装置に電力を供給し、かつ植え込み可能制限装置を監視することに関連する外部装置を携帯することに対する、より快適で効率的な方法を可能にする、着用可能要素を提供する。一例示的実施形態では、患者に制限部を形成するためのシステムが提供され、このシステムは、患者に制限部を形成するように構成された植え込み可能制限装置、ならびに、無線信号を送信および／または受信するように構成された植え込み可能通信部材を含む。制限装置は、例えば胃バンド、および胃バンドと通信するハウジングを含むことができる。このシステムは、患者によって着用されるように構成された着用可能要素、ならびに、植え込み可能通信部材と通信するように無線信号を送信および／または受信するように構成された、着用可能要素に連結された外部装置をさらに含むことができる。例示的実施形態では、外部装置は、着用可能要素に対して複数の位置に位置可能（disposable）である。
【０００７】
外部装置は、様々な構成を有することができ、一実施形態では、外部装置は、植え込み可能通信部材に近接して位置付け可能であり、かつ植え込み可能通信部材からデータを受信するように構成されたアンテナでありうる。別の実施形態では、外部装置は、植え込み可能通信部材に電力を送るように構成されうる。さらに別の実施形態では、植え込み可能通信部材は、内部誘導コイルでありえ、外部装置は、外部誘導コイルでありえ、これらコイルは、電力結合を最大にするために、実質的に同じ周波数で共振するように構成されうる。着用可能要素はまた、外部装置と植え込み可能通信部材との間の適切な整列を示すように構成された整列機構を含むことができる。
【０００８】
別の実施形態では、このシステムは、第１外部装置、および第２外部装置を含むことができ、これら第１外部装置および第２外部装置は、互いに連結させられ、かつ互いから所与の距離だけ離れて、着用可能要素上の複数の位置に位置付け可能である。一例示的実施形態では、第１外部装置は、植え込み可能通信部材からデータを受信するように構成されえ、第２外部装置はまた任意に、第１外部装置に電力を提供するように構成されうる。
【０００９】
着用可能要素はまた、様々な構成を有することができ、一例示的実施形態では、着用可能要素は、可撓性電池でありえ、可撓性電池は、この可撓性電池を着用している使用者の動きに応じて曲がるように構成されている。別の例示的実施形態では、着用可能要素は、複数の弾性ストラップから形成されうる。加えて、着用可能要素は、様々な患者サイズおよび体形に合うように調節可能でありうる。さらに別の実施形態では、着用可能要素は、ベルト、ベスト、サッシュ、または接着パッチでありうる。他の態様では、着用可能要素は、その着用可能要素内に形成された少なくとも１つのポケットを含むことができ、このポケットは、着用可能要素に対して移動可能である。一実施形態では、ポケットは、そのポケット内に配された少なくとも１つの電池を含み、この電池は、外部装置に電力を提供するように構成されている。
【００１０】
植え込み可能制限装置と通信するための方法も提供される。一実施形態では、この方法は、患者に植え込まれた植え込み可能制限装置上の植え込み可能通信部材と外部装置を整列させるように、患者によって着用された着用可能要素上の複数の位置のうち１つの位置に外部装置を位置付けることを含むことができる。外部装置は、組織を介して植え込み可能通信部材に信号を無線で転送するために作動させられうる。例えば、外部装置は、植え込み可能通信部材にエネルギーを送り、かつ／または植え込み可能通信部材からデータを受信することができる。加えて、外部装置は、外部誘導コイルでありえ、植え込み可能通信部材は、内部誘導コイルでありえ、この方法は、電力を生み出すために外部コイルと内部コイルとの間での誘導結合を利用することをさらに含むことができる。２つのコイルは、電力結合を最大にするために実質的に同じ周波数で共振するように同調させられうる。
【００１１】
外部装置は、様々な位置に位置付けされうるが、一例示的実施形態では、外部装置は、皮膚表面上に、植え込み可能通信部材に近接して位置付けされうる。外部装置は、着用可能要素上か、または着用可能要素から所与の距離だけ離れて、位置付けされうる。例えば、着用可能要素は、複数の可撓性ストラップを含むことができ、外部装置は、植え込み可能通信部材に近接して可撓性ストラップに取り外し可能にかみ合わされうる。代替的に、または加えて、外部装置は、着用可能要素上のポケット内部に位置されうる。本発明の別の態様では、着用可能要素は、可撓性電池でありうる。外部装置は、可撓性電池に連結させられ、かつ可撓性電池によって生み出されたエネルギーを植え込み可能通信部材に送ることができる。
【００１２】
本発明は、添付の図面と併せて以下の詳細な説明からさらに完全に理解されるであろう。
【００１３】
〔発明の詳細な説明〕
本明細書に開示される装置および方法の、構成、機能、製造、および使用の本質の全体的な理解を提供するために、特定の例示的実施形態がここに記載される。これら実施形態の１つ以上の例が、添付の図面に図示されている。当業者であれば、特に本明細書に記載され、添付の図面に図示された装置および方法は、非限定的な例示的実施形態であり、本発明の範囲は、特許請求の範囲によってのみ定められる、ということを理解するであろう。一例示的実施形態に関連して図示されるか、または記載された特徴は、他の実施形態の特徴と組み合わされうる。そのような修正および変形は、本発明の範囲内に含まれると意図される。
【００１４】
本明細書に開示された本発明は、当業界において周知の、様々な制限システムと共に使用されうるが、図１Ａおよび図１Ｂは、食物摂取制限システム１０の一例示的実施形態を図示している。示されているように、システム１０は概して、患者の胃４０の上部分周りに位置付けされるように構成された調節可能な胃バンド２０、および、例えばカテーテル５０を介して調節可能な胃バンド２０に連結される入口ポート３０を含む。システム１０はまた、植え込み可能通信部材６０を含むことができる。植え込み可能通信部材６０は、様々な構成を有することができ、入口ポート３０内部を含め、システム１０に沿う任意の場所に位置付けされうるが、図示された実施形態では、植え込み可能通信部材６０は、入口ポート３０に隣接して位置付けされるハウジング内部に位置され、かつ調節可能な胃バンド２０に連結される。植え込み可能通信部材６０は、無線信号を送信および／または受信するのに効果的でありうる。植え込み可能通信部材６０はまた、システムの様々な構成要素に電力を供給し、胃バンド２０の様々な状態を測定／監視し、かつ／または様々な生理パラメータを測定／監視するのに、効果的でありうる。例えば、植え込み可能通信部材６０は、システム１０の様々なパラメータを測定し、監視するセンサー；ワイヤーダイポールアンテナ、モノポールアンテナ、または誘導コイルなどのアンテナ；ならびに／あるいは組織を通して信号を送信および受信でき、かつ／または、システム１０および／もしくは他の生理パラメータの、電力供給、測定、および／もしくは監視を助けることができる、当業界において周知の任意の他の装置、でありうる。
【００１５】
図１Ａおよび図１Ｂには示されていないが、システム１０はまた、無線信号を介して植え込み可能通信部材６０と通信するように構成されている外部部分を含むことができる。外部部分は、様々な構成を有することができ、様々な例示的構成が、本明細書において論じられる。しかしながら一般的に、外部部分は、当業界において周知で任意の、電力供給装置、受信装置、送信装置、および／または監視装置の形態を取ることができる外部装置を含むことが好ましい。例えば、外部装置は、ワイヤーダイポールアンテナ、モノポールアンテナ、または誘導コイルなどのアンテナ；電池または他の電力供給装置；監視装置：整列機構；あるいは、必要に応じて無線信号を介して植え込み可能通信部材６０と通信するための、当業界において周知の任意の他の装置、でありうる。無線信号は、例えばエネルギー信号、電力伝達信号、および／またはデータ信号などの当業界において周知のあらゆる信号の形態をとることができる。例示的実施形態では、外部装置は、（例えば１０ｃｍ厚を超える、厚い組織の下方に植え込まれうる）植え込み可能通信部材６０の上方の皮膚表面上に位置付けされるように構成され、植え込み可能通信部材６０と非侵襲的に通信し、それにより電力を植え込み可能通信部材６０に送り、かつ／または植え込み可能通信部材６０からデータを取得する。代替的に、外部装置は、植え込み可能通信部材６０から遠隔の位置に位置されうる。別の実施形態では、外部部分は、例えば外部装置と通信部材との間の整列を、および／または外部装置と通信部材との間で通信される信号の強度を示すことができる、ゲージまたは整列機構を含むことができる。加えて、ゲージまたは整列機構は、外部装置と通信部材との間の信号強度が許容可能レベルを下回った場合、指標を提供することができる。ゲージまたは整列機構によって与えられた指標は、ＬＥＤなどの光、可聴ノイズ、および／または振動を含む、当業界において周知のいかなる通知手段の形態をもとることができる。
【００１６】
一例示的実施形態では、第１外部装置は、受動遠隔測定システムを介して、植え込み可能通信部材６０に電力を伝達するように構成されうる。例えば、無線周波電力のバースト（a burst of radio frequency power）は、第１外部装置によって植え込み可能通信部材へ送られることができ、植え込み可能通信部材６０がデータおよび測定値を第１外部装置に送り戻すことを可能にするのに十分である。第１外部装置は任意に、第１外部装置によって受信された様々な測定読み取り値または他のデータを記録および／または表示することができる第２外部装置に電気的に連結されうる。第２外部装置はまた、植え込み可能通信部材６０と通信するために、必要に応じて電気出力（electrical power）を第１外部装置に送ることができる。第１外部装置および／または第２外部装置は、第１外部装置がランダムな間隔または所定の時間周期で植え込み可能通信部材６０と通信するようにプログラムされ得、それにより、患者は、第１外部装置および植え込み可能通信部材６０が通信するために、いかなる装置をも作動させることを必要とされない。代替的に、第１外部装置と植え込み可能通信部材６０との間の通信、または第１外部装置と第２外部装置との間の通信は、患者または他の使用者によって手動で作動させられうる。
【００１７】
一例示的実施形態では、第２外部装置は、必要に応じて電力を第１外部装置に送るように構成された再充電可能な電池システムである。第２外部装置はまた、第１外部装置を介して植え込み可能通信部材６０に送られる電力量を制御するように構成された電気回路の構成要素（circuitry）を含むことができる。代替的に、単一外部装置が、上記された機能の全て、いずれか、または任意の組み合わせを実行することができる。さらに別の実施形態では、外部装置は、さらなる詳細が以下に記載されるが、利用可能な電力を最大にするように互いに接続している複数電池システムを含むことができる。当業者であれば、植え込み可能通信部材６０に電力を供給し、植え込み可能通信部材６０を監視し、別の状況では植え込み可能通信部材６０と無線で通信するために必要とされる、任意の数の機能を実行するために、任意の数の外部装置が使用されうることを認識するであろう。同様に、単一外部装置は、必要に応じて上記された機能の全てを実行するように構成されうる。
【００１８】
外部部分はまた、患者によって着用されるように構成され、かつ１つ以上の外部装置に連結された、着用可能要素を含むことができる。着用可能要素は、外部装置が使用者によって着用されることを可能とするのに特に効果的であり、それによって、所望される場合に外部装置と植え込み可能通信部材との間の通信を可能にすることができる。図２Ａ〜図６Ｂは、様々な例示的着用可能要素を図示している。様々な実施形態の各々において、外部装置は、外部装置を携帯する、より快適で効率的な様式を可能とする着用可能要素と一体であるか、またはその着用可能要素に連結されている。
【００１９】
本明細書に使用される場合、用語「着用可能」は、着用者の身体、または身体の任意の一部によって着用されるか、または身に付けられるように設計された任意の製品に対して称することができる。衣類の形態の場合、着用可能要素は、例えばベストの形態、シャツの形態、タンクトップの形態、ボディースーツの形態、ジャケットの形態、または着用者の胴体上部上および／もしくは胴体上部周りに合う、任意の他の形態でありうる。加えて、着用可能要素はまた、手袋、パンツ、ソックスなどの形態の任意の他の衣料品を含むことができる。用語「着用可能」は、衣類だけでなく、バンド、ストラップ、ベルト、パッチなども含むことができる。バンドの形態の場合、着用可能要素は、例えば、胴体バンド、ウエストバンド、ネックバンド、アームバンド、ヘッドバンドなどの形態でありうる。着用可能要素はまた、患者の身体上に必要に応じて適用されうる接着パッチを含むことができる。
【００２０】
使用において、着用可能要素は概して、患者の体の一部上に着用可能でありうる。着用可能要素は、患者の衣服の下に収まるように、患者の身体部分にぴったりと合わされるように構成されうる。着用可能要素はまた、患者の身体上または患者の衣服上にゆったりと合うように構成されうる。調節可能要素は、着用可能要素が様々なサイズおよび体形の患者に合うように構成されうるように、着用可能要素上に含められうる。着用可能要素は、様々な材料から作られうるが、軽い弾力性の材料が、患者にとっての快適さおよび使い易さを最善にするために好まれる。例示的実施形態では、着用可能要素は、織地および織物応用において一般的に使用される材料から作られる。例えば、着用可能要素は、（スパンデックスなどの）エラストマー紡績糸、および／または（ナイロン、ポリエステル、もしくは綿などの）快適な紡績糸（comfort yarns）から作られうる。材料の任意の組み合わせが、患者にとっての快適さおよび使い易さを最大にし、かつ洗濯のしやすさを提供するように、必要に応じて形成されうる。着用可能要素はまた、患者によって長時間の間、着用されるように構成されうるか、あるいは、植え込み可能通信部材に電力を供給し、植え込み可能通信部材を監視し、かつ／または別の状況では植え込み可能通信部材と通信するために、必要に応じて特定時間のみ着用されるように構成されうる。
【００２１】
図２Ａに示された一例示的実施形態では、着用可能要素が、ベスト２００の形態で提供されている。ベスト２００は、患者の胴体上部上、および胴体上部周りに合うように作られ、したがって患者の肩に載る肩ストラップ２０２を概して含む。ベスト２００はまた、両側に腕用切抜き部２０４を含むことができ、この腕用切抜き部２０４を通って患者の腕が収まることができる。図示された実施形態では、ベスト２００はまた、患者の胴体下部または腰を囲むように構成されたベルトまたはバンド２０８を含み、バンド２０８は、患者によりよく合うように、必要に応じて締められたり、ゆるめられたりすることができる。代替的に、または加えて、ベスト２００が様々なサイズおよび体形の患者に合うように調節されうるように、調節可能要素が、ベスト２００上に提供されうる。調節可能要素は、バックル、留め金、ボタン、スナップ、ひも、ストラップ、ファスナー、Velcro（商標）などの形態でありうる。
【００２２】
図２Ａに示されてもいるように、少なくとも１つのポケット２１０が、ベスト２００の外面に形成されるか、または外面上に位置されうる。図２Ａおよび図２Ｂに示されているように、ポケット２１０は、詳細に前述されたように、インダクタンスコイル（inductance coil）、アンテナ、電池、または他の電気回路の構成要素などの、少なくとも１つの外部装置２１２を収容するのに十分に大きい寸法に形成されうる。ポケット２１０は、Velcro（商標）、縫合、接着、または当業界において周知である、任意の他の取付手段によって、ベスト２００に取り外し可能に取り付けられ得、ポケット２１０は、患者体内に植え込まれた植え込み可能通信部材に近接して据えられうるか、または必要に応じて着用可能要素上もしくは着用可能要素内の任意の別の場所に置かれうるようになっている。取り外し可能ポケット２１０は、外部装置２１２が植え込み可能通信部材と適切に整列するように、外部装置２１２の位置を調節することを可能にする。例として、図２Ａに、ポケット２１０は、ベスト２００上の３つの代替位置で示されており、ポケット２１０は、必要に応じてベスト２００上のいずれの位置にも取り付けられうることは、当業者によって理解されるであろう。ポケット２１０はまた、ベスト２００内の固定位置に一体的に形成され得、ベスト２００は、任意の数のポケット２１０を含むことができる。
【００２３】
図２Ｃに示されている別の例示的実施形態では、着用可能要素２２０が提供され、着用可能要素２２０は、その着用可能要素内に形成されるか、または着用可能要素上に位置された、複数のポケット２１０を有する。これにより、複数の外部装置２１２がポケット２１０内に据えられ、必要に応じて患者によって携帯されることが可能となる。着用可能要素２２０上に複数のポケット２１０を提供することは、患者の快適さのための配置融通性だけでなく、複数の外部装置の重量分布における優れた制御を可能にする。
【００２４】
使用において、例えば、着用可能要素に取り付けられた１つのポケットが、植え込み可能通信部材に近接して据えられえ、植え込み可能通信部材と通信するための、アンテナなどの外部装置を保持することができる。同時に、別のポケットが、着用可能要素の下部の方に位置されえ、アンテナに接続される、再充電可能な電池システムまたは読み取り装置などの、別の外部装置を保持することができる。
【００２５】
別の例として、２つのポケットが、着用可能要素上で植え込み可能通信部材に近接して、互いに隣り合って位置されえ、各々が、外部装置を保持することができる。第１外部装置が、植え込み可能通信部材からデータまたは測定値を取得するためのアンテナでありえ、第２外部装置が、植え込み可能通信部材に電力を提供するための誘導コイルでありうる。代替的に、または加えて、１つのポケットが、第１外部装置および／または第２外部装置と、植え込み可能通信部材との適切な整列を監視するための整列機構を保持することもできる。
【００２６】
図２Ｃに最も明確に図示された最後の例では、複数のポケット２１０が、複数の電池ユニットを保持するために着用可能要素２２０上の異なる位置に位置されうる。ある電池が特定の外部装置に電力を提供するために使用されるべきことが決められた場合、インプラントに必要な全ての電力供給のために、１つの電池ユニットしか有しないことは、患者が、着用可能要素上のたった１つのポケットで携帯するには、極端に重くなってしまうだろう。したがって、いくつかのより小さな電池ユニットが、互いに接続されて、単一の電池の代わりに使用されうる。着用可能要素２２０の周りに、より小さい電池ユニットを収容する複数のポケット２１０を均等な間隔に置くことは、患者上の１つの位置に取り付けられた単一の重い電池ユニットを有するという不快を妨げることができる。より小さい電池ユニットは、重量がより均等な様式で分布されるように、着用可能要素２２０の周りの複数のポケット内に位置されうる。
【００２７】
図３Ａおよび図３Ｂは、誘導結合を介して、内部誘導コイル３１０の形態の植え込み可能通信部材と通信するように構成された外部誘導コイル３０６の形態の外部装置を有するベスト３００の形態の着用可能要素の実施形態を図示している。図３Ｂは、外部誘導コイル３０６によって生み出された磁場３５０を図示しており、この磁場３５０は、当業界において周知の方法によって内部誘導コイル３１０内部に電流を生み出すことができる。内部誘導コイル３１０、および外部誘導コイル３０６は、電力結合を最大にするために実質的に同じ周波数で共振するように構成されうる。ベスト３００は、患者の胴体上、および／または胴体周りに合うことができ、かつ、様々なサイズおよび体形の患者にベスト３００を合わせるために調節可能要素を収容することができる。加えて、ベスト３００は、外部コイル３０６に電力を供給するため、および／または植え込み可能通信部材からデータを受信して記録するために、読み取り装置３７０の形態の外部装置を含むことができる。
【００２８】
ベスト３００は概して、患者の胴体上に着用可能でありえ、かつ、患者の衣服の下に収まるために胴体にぴったりと合わされるように、あるいは患者の身体上または患者の衣服上にゆったり収まるように構成されうる。当業界において周知であるように、外部誘導コイル３０６は、例えば銅ワイヤーなどの巻かれた金属ワイヤーから形成されえ、かつ、内部誘導コイル３１０に電力を供給するように、必要に応じて様々なサイズおよび形状に適合することができる。外部誘導コイル３０６は、組織表面に隣接し、かつ内部誘導コイル３１０に近接して位置付けされるように構成されうる。例えば、外部誘導コイル３０６は、ベスト３００の前方パネル３３０ａまたは後方パネル３３０ｂに形成されうる。外部誘導コイル３０６は、ベスト３００と一体的に形成されうるか、あるいはベスト３００の外部面上または内部面上に位置されえ、外部誘導コイル３０６の内部誘導コイル３１０との適切な整列を可能とするのに効果的である、当業界において周知の任意の方法で、ベスト３００内部に取り付けられるか、または位置されうる。したがって、外部誘導コイル３０６は任意に、外部コイル３０６が必要に応じて動かされ、整列させられうるように、ベスト３００に取り外し可能に取り付けられうる。代替的に、外部誘導コイル３０６は、内部誘導コイル３１０が位置付けされる場所に基づいて、所定の整列でベスト３００の内部部分内に一体的に形成されうる。内部コイル３１０はまた、例えば銅磁気ワイヤーなどの金属ワイヤーから形成されえ、対応する外部誘導コイル３０６または誘導コイル３０６ａ〜３０６ｄから所望の電力結合および／または信号結合を達成するようなサイズおよび形状でありうる。
【００２９】
例示的実施形態では、外部誘導コイル３０６は、外部読み取り器３７０と電気通信することができる。外部読み取り器３７０は、例えば電池、または壁の電気コンセントなどの、当業界において周知の任意の電源３４０から得られる電力を外部誘導コイル３０６に提供することができる。外部読み取り器３７０は、使用者が外部誘導コイル３０６を介して内部誘導コイル３１０に結合される電力量を制御できるように、構成されえ、外部誘導コイル３０６を使用する他の態様においても同様である。外部読み取り器３７０は、様々な方法で構成されうる。例えば、外部読み取り器３７０は、ベスト３００上、ハンドヘルド装置内、または図３Ａに示されているようにベスト３００から遠隔の位置に、位置付けされうる。当業者によって認識されるであろうが、外部誘導コイル３０６は、代替的に電源３４０に直接連結されうる。外部読み取り器３７０は任意に、通信部材から受信されるデータを受信し、記録し、かつ／または表示するように構成されうる。データは、当業界において周知の任意の方法によって受信されうる。例えば、外部誘導コイル３０６は、通信部材からデータを受信するように構成されたアンテナを含むことができ、かつ／または、外部読み取り器３７０は、通信部材からデータを受信するためのアンテナを含むことができる。通信部材から得られたデータおよび測定値は、後の調査のために、外部読み取り器３７０によって表示または記録されうる。
【００３０】
図３Ｃに示される別の実施形態では、着用可能要素は、サッシュまたはベルト３６０の形態で提供されており、このベルト３６０は、植え込まれた内部コイル３１０を囲うように、ベルト３６０周りに位置された４つの外部コイル３０６ａ、３０６ｂ、３０６ｃ、３０６ｄのアレイを有する。この構成により、誘導結合が２つの垂直方向で内部コイル３１０によって生じることが可能となる。当業者であれば、任意の数のコイルが、１つの植え込まれたコイル、または任意の数の植え込まれたコイルに誘導結合するように、任意の着用可能要素周りに、または着用可能要素上に、位置されうることは、認識するであろう。
【００３１】
図４は、ベルト、サッシュ、またはバンド４００の形態である、着用可能要素の別の実施形態を示している。バンド４００は、患者が、その患者の衣服の下にかさばった装置を着用しなければならないことを妨げられるように、患者の腰、胃、または臀部周りに位置され、かつ、第１外部装置４１０を保持するように構成されている。バンド４００はまた、様々なサイズおよび体形の患者に合うようにバンド４００のサイズを調節するために、バックル、ボタン、留め金、ファスナー、Velcro（商標）、または結びひも（string laces）などの調節可能要素を含むことができる。一実施形態では、示されるように、第１外部装置４１０は、プロセッサまたは読み取り装置でありえ、第１外部装置４１０は、患者の衣服の下に、植え込み可能通信部材に近接して据えられうるアンテナ４１２などの第２外部装置に電気的に接続されうる。接着剤、または他の取付機構が、アンテナを固定位置に保持するために使用されうる。このようにして、アンテナ４１２は、植え込み可能通信部材に電力を送り、かつ／または植え込み可能通信部材からデータを受信し、データを表示もしくは記録することができる第２外部装置４１０にデータを送信することができる。代替的に、または加えて、第２外部装置４１０は、電池ユニットの形態、または電力をアンテナ４１２に提供するための他の電力供給装置の形態でありうる。加えて、バンド４００は、前述されたように、アンテナ４１２と植え込み可能通信部材との間の整列を監視する整列機構を含むことができる。整列機構は、例えばアンテナ４１２と通信部材との間の整列が、より良い通信のために再調節および／または再整列されるべきであるかどうかを示すことができる。整列機構によって与えられた指示は、ＬＥＤなどの光、可聴ノイズ、および／または振動を含む、当業界において周知の任意の通知手段の形態をとることができる。
【００３２】
別の実施形態では、図５Ａ〜図５Ｃが、患者の胴体上部上に着用されるストラップから形成された着用可能要素５００ａ、５００ｂ、および５００ｃを図示している。着用可能要素５００ａ、５００ｂ、および５００ｃは、図２Ａを参照して前述されたようにベスト上に据えられうるか、または図７Ａおよび図７Ｂを参照して以下に詳細に記載されるように、可撓性電池から作られた着用可能要素上に据えられうる。代替的に、着用可能要素５００ａ、５００ｂ、および５００ｃは、患者の衣服の上または下に着用されうる。
【００３３】
図５Ａに図示された実施形態では、ストラップが、ベスト上または患者の胴体上にぴったりと合うように弾性であり、格子じま、すなわち格子状ストラップ５１０の形態である。着用可能要素５００ａは、患者の衣服の下もしくは上に収まるサイズ、および患者の特定のサイズおよび体形に合うサイズに調節するために、例えばバックル、ボタン、留め金、またはファスナーである、調節可能要素を含むことができる。格子状ストラップ５１０は、非弾性材料などの様々な材料から作られうる。
【００３４】
図５Ｂおよび図５Ｃが、それぞれ着用可能要素５００ｂおよび５００ｃのための、代替のストラップパターンすなわち形状を示している。図５Ｂでは、ストラップは、水平ストラップ５１４に結合されたサスペンダー５１２の形状であり、図５Ｃでは、ストラップは、これもまた水平ストラップ５１４に結合された、「Ｖ」５２０の形状である。ストラップ５１２、５２０および／または水平ストラップ５１４は、サイズ調節を容易にするためにバックル５１６または他の留め金機構を含むことができる。当業者であれば、ストラップ形状および配列は、これら３つの実施形態に限定されるものではなく、必要に応じて任意の形状または配列の形態をとることができると、認識するであろう。
【００３５】
例示的実施形態では、使用において、図５Ａ〜図５Ｃの着用可能要素の各々は、外部装置に連結するように構成されている。様々な噛合技術が、外部装置をストラップにかみ合わせるために使用されうるが、図６Ａおよび図６Ｂは、ストラップに係合するための様々なクリップを図示している。詳細には、クリップ６０２、６１２は、外部装置６００が前述された着用可能要素５００ａ、５００ｂ、および５００ｃ上の様々な位置にクリップ留めされることを可能にするので、クリップ６０２、６１２は特に有利である。クリップ６０２、６１２は、プラスチック、金属など様々な材料から作られえ、各々、水平部分６０４を有する。クリップ６１２は、水平部分６０４から垂直に延びる１つの脚６０６を有し、クリップ６０２は、水平部分６０４から延びる２つの脚６０６を有する。水平部分６０４は、リベット、ねじ、接着剤など、当業界において周知の任意の噛合手段によって外部装置６００に強固に取り付けられうる。脚６０６は、剛性または可撓性でありうるが、図示された実施形態では、脚６０６は、可撓性であり、かつ脚６０６の少なくとも一部分を外部装置６００に押し付けるのに効果的である、脚の形状に関連した湾曲部を有する。使用において、脚６０６は、図５Ａ〜図５Ｃの着用可能要素のストラップに係合するために装置６００から離れるように曲げられうる。ストラップが係合された後、脚６０６は解放されることができ、外部装置６００に対して押し付けられた元の位置に曲がり戻る。
【００３６】
図７Ａが、着用可能要素の別の実施形態を示している。ある実施形態では、外部装置に電力を供給することが必要となりうる。再充電可能な電池を介してこの電力を提供することは、患者にとっては最も便利であろうが、鉛蓄電池などの従来電池は、極端に重たい。したがって、図７Ａは、少なくとも部分的には、薄い可撓性電池から作られた可撓性電池ベスト７００の形態である、着用可能要素を示している。可撓性電池は、例えば、SolicoreのFlexion（商標）製品のリチウムポリマー電池などのリチウムポリマー電池、または、例えばＮＥＣ（登録商標）による超薄型有機ラジカル電池でありえ、双方とも薄く可撓性であり、必要に応じていかなる衣料品の形状にも作られうる。加えて、リチウムポリマー電池および有機ラジカル電池の双方は、すぐに充電および再充電されえ、軽量でありうる。これらの特徴は、最適な電池を提供し、この最適な電池から、患者が外部装置に電力を提供するために着用でき、かつ患者の動きに応じて曲がる、可撓性電池ベスト７００などの着用可能衣料品を形成する。着用可能可撓性電池の形状は、様々にすることができる。図示された実施形態では、着用可能要素は、前方パネル７０２および後方パネル７０４を含み、これら双方とも、可撓性電池から作られえ、かつ可撓性電池ベスト７００を形成するように、互いに取り付けられるか、または互いに一体的に形成される。図示された実施形態では、可撓性電池ベスト６００はまた、所望ならば可撓性電池からも作られうるベルトまたはバンド７１０を含む。可撓性電池ベスト７００およびバンド７１０の双方とも、様々なサイズおよび体形の患者に合うようにサイズを調節するための調節可能要素を含むことができる。
【００３７】
別の実施形態では、着用可能要素は、患者に直接当てられうるか、または本明細書に記載された着用可能要素の他の実施形態のうちの１つに当てられうる、接着パッチの形態でありうる。接着パッチは、可撓性電池から形成されえ、着用可能要素に直接取り付けられるか、または図２Ａ〜図２Ｃを参照して前述されたように、着用可能要素に取り付けられたポケット内部に位置されうる。当業者であれば、身体のいかなる部分上にも着用されるように構成された任意の着用可能要素が、本明細書に記載されたのと同じ効果および特徴を有する可撓性電池から形成されうることは、認識するであろう。
【００３８】
図７Ｂにさらに示されるように、可撓性電池ベスト７００はまた、可撓性電池ベスト７００に電気的に結合される外部装置７１２を含むことができ、かつ、患者の衣服下に据えられうるか、または可撓性電池ベスト７００に取り付けられうる。代替的に、図５Ａ〜図５Ｃの着用可能要素５００ａ、５００ｂ、および５００ｃは、可撓性電池ベスト７００上に据えつけられえ、かつ、患者にぴったりと合うようにするため、可撓性電池ベスト７００にぴったりと合うように、または可撓性電池ベスト７００の下にぴったりと収まるように調節されうる。外部装置は、着用可能要素５００ａ、５００ｂ、および５００ｃにクリップ留めされえ、かつ、可撓性電池ベスト７００に電気通信することができ、それにより、必要に応じて外部装置に電力を提供することができる。
【００３９】
使用において、本明細書に開示された様々な実施形態の各々では、外部装置は、患者によって着用された着用可能要素上の複数の位置のうちの１つに位置付けされ、患者体内に植え込まれた植え込み可能制限装置上の植え込み可能通信部材と外部装置を整列させることができる。所望なように、いったん位置付けされると、外部装置は、組織を介して植え込み可能通信部材に信号を転送するために作動させられうる。
【００４０】
一例示的実施形態では、着用可能要素は、着用可能要素の形態によって、患者上または患者周りに据えられうる。いったん患者上または患者周りに据えられると、調節可能要素は、患者の衣服の下であろうと、患者の衣服の上であろうと、着用可能要素を患者に合わせるように調節されうる。いったん適切で快適な合い具合が達成されると、外部装置は、必要に応じて、かつ以下に詳細に記載されるように、着用可能要素に取り付けられうる。
【００４１】
図２Ａに示される実施形態では、ベスト２００が、患者の肩上に載るように、患者の頭部を越えて据えられうる。代替的に、ベルトまたはバンド２０８は、ベスト２００が患者の身体上に横からするりと着られることが可能となるように、開かれうる。いったんベスト２００が患者の胴体上に位置づけられると、調節可能要素は、ベスト２００を患者に適切に合わせるように修正されうる。ベスト２００が患者に快適なように合わせられると、１つ以上の外部装置を収容する１つ以上のポケットが、ベスト２００に取り外し可能に取り付けられ、かつ必要に応じて整列させられうる。例えば、外部装置２１２を収容するポケット２１０は、植え込み可能通信部材に近接し、植え込み可能通信部材と整列するように据えられ、植え込み可能通信部材に電力を送り、かつ／または植え込み可能通信部材からデータを受信することができる。当業者であれば、外部装置を収容する任意の数のポケットが、必要に応じてベスト２００上またはベスト２００辺りに取り外し可能に位置付けされうることは、認識するであろう。代替的に、ベスト２００は、既知のインプラント位置または他の必要性に対応するように所定位置に取り付けられる１つ以上のポケットを備えるように準備されうる。この場合、いったんベスト２００が患者に合わせられると、外部装置２１２は、ポケット２１０内に据えられうる。
【００４２】
いったん外部装置２１２が、適切な整列で適切な位置に置かれると、必要ならば、外部装置２１２は、任意の数の作用を行うために、医師、使用者、または自動作動によって、作動させられうる。例えば、外部装置がアンテナの場合、アンテナの作動は、電力またはエネルギーを植え込み可能通信部材に送り、植え込み可能制限装置に関して得られたデータおよび他の測定値について、植え込み可能通信部材がアンテナにデータを送り戻すことを可能にするために効果的でありうる。代替的に、外部装置が誘導コイルである場合、コイルの作動は、例えば誘導コイルである植え込み可能通信部材と通信して、それにより誘導結合を介して植え込み可能制限システムに電力を転送させるために効果的でありうる。
【００４３】
図３Ａ〜図３Ｃに示された実施形態では、ベスト３００およびベルト３６０は、患者上および／または患者周りに据えられえ、患者に適切に合うようにサイズが調節されうる。外部誘導コイル３０６は、電気が内部誘導コイル３１０内部で生み出されるように、内部誘導コイル３１０に誘導結合するように作動させられうる。例示的実施形態では、外部読み取り器３７０および／または外部誘導コイル３０６は、必要に応じて、植え込み可能通信部材からのデータおよび／または測定値を送信および／または受信することができる。
【００４４】
図４に示された実施形態では、ベルトまたはバンド４００は、患者の腰または胃領域の周りに据えられえ、患者に適切に合うようにサイズが調節されうる。外部装置４１０は、患者が、衣服の下にかさばる外部装置を着用する必要がないように、バックル、クリップ、または他の取付手段によってバンド４００に取り付けられうる。外部装置がアンテナ４１２の場合、外部装置は、必要に応じて植え込み可能通信部材と通信するために、植え込み可能通信部材に近接して患者の皮膚上に据えられうる。いったんアンテナ４１２が植え込み可能通信部材内部に適切に整列させられたら、アンテナ４１２は、外部装置４１０と電気通信して据えられえ、それによって植え込み可能通信部材へ伝達されうる電力を受信し、植え込み可能通信部材から受信されたデータを外部装置４１０に送信することができる。外部装置４１０は、その後、植え込み可能通信部材から取得されたデータを記録して、読み出し（read-out）としてデータを表示するか、あるいは医師による後の調査のためにデータを保存することができる。
【００４５】
図５Ａ〜図５Ｃに示された実施形態では、着用可能要素５００ａ、５００ｂ、および５００ｃは、患者の衣服の下、患者の衣服の上、または前述された着用可能要素のうちの１つの上に据えられ、患者に合うように調節されうる。１つ以上の外部装置は、その後、図６Ａおよび図６Ｂに示されたシングルクリップまたはダブルクリップを使用して、可撓性ストラップにクリップ留めされうる。外部装置は、電力を植え込み可能通信部材に送るか、植え込み可能通信部材からデータを受信するか、あるいは単に、様々な所定間隔もしくはランダムな間隔で植え込み可能制限システムを監視するために、作動させられうる。
【００４６】
図７Ａおよび図７Ｂに示された実施形態では、可撓性電池ベスト７００は、患者の胴体上かつ胴体周りに据えられ、そこに固定される。電池は、可撓性電池ベスト７００上に、またはベスト７００の下に、取り付けられるか、あるいは位置される任意の外部装置に必要に応じて電力を提供するように、作動させられうる。
【００４７】
当業者であれば、前述された実施形態に基づいて、本発明のさらなる特徴および利点を認識するであろう。したがって、本発明は、特許請求の範囲によって示されたものを除き、特に示され記載されてきたものによって限定されるものではない。本明細書に引用されたすべての刊行物および参照文献は、それら全体を参照によって本明細書に明確に組み込んだものとする。
【００４８】
〔実施の態様〕
（１）  患者に制限部を形成するためのシステムにおいて、
患者に制限部を形成するように構成された植え込み可能制限装置であって、前記植え込み可能制限装置は、無線信号を送信および／または受信するように構成された植え込み可能通信部材を含む、植え込み可能制限装置と、
患者によって着用されるように構成された着用可能要素であって、前記着用可能要素に連結され、かつ前記植え込み可能通信部材と通信するように無線信号を送信および／または受信するように構成された外部装置を有する、着用可能要素と、
を具備する、システム。
（２）  実施態様１に記載のシステムにおいて、
前記外部装置は、前記着用可能要素上の複数の位置に位置可能である、システム。
（３）  実施態様１に記載のシステムにおいて、
前記外部装置は、前記植え込み可能通信部材に近接して位置付け可能で、かつ前記植え込み可能通信部材からデータを受信するように構成されたアンテナを具備する、システム。
（４）  実施態様１に記載のシステムにおいて、
前記外部装置は、前記植え込み可能通信部材に電力を送るように構成されている、システム。
（５）  実施態様１に記載のシステムにおいて、
前記外部装置は、外部誘導コイルを具備し、
前記植え込み可能通信部材は、内部誘導コイルを具備する、システム。
（６）  実施態様１に記載のシステムにおいて、
前記外部誘導コイルは、電力結合を最大にするために、前記内部誘導コイルと実質的に同じ周波数で共振するように構成されている、システム。
（７）  実施態様１に記載のシステムにおいて、
前記着用可能要素は、前記外部装置と前記植え込み可能通信部材との間の適切な整列を示すように構成された整列機構を含む、システム。
（８）  実施態様１に記載のシステムにおいて、
前記外部装置は、第１外部装置を具備し、
前記システムは、第２外部装置を含み、
前記第１外部装置および前記第２外部装置は、互いに連結し、かつ互いから所与の距離だけ離れて前記着用可能要素上の複数の位置に位置付け可能である、システム。
（９）  実施態様８に記載のシステムにおいて、
前記第１外部装置は、前記植え込み可能通信部材からデータを受信するように構成されており、
前記第２外部装置は、前記第１外部装置によって受信されたデータを保存するように構成されている、システム。
（１０）  実施態様８に記載のシステムにおいて、
前記第２外部装置は、前記第１外部装置に電力を提供するように構成されている、システム。
（１１）  実施態様１に記載のシステムにおいて、
前記着用可能要素は、可撓性電池であって、前記可撓性電池を着用している使用者の動きに応じて曲がるように構成されている、可撓性電池を具備する、システム。
（１２）  実施態様１に記載のシステムにおいて、
前記着用可能要素は、複数の弾性ストラップから形成されている、システム。
（１３）  実施態様１に記載のシステムにおいて、
前記着用可能要素は、様々な患者のサイズおよび体形に合うように調節可能である、システム。
（１４）  実施態様１に記載のシステムにおいて、
前記着用可能要素は、ベスト、ベルト、サッシュ、および接着パッチからなる群から選択される、システム。
（１５）  実施態様１に記載のシステムにおいて、
前記着用可能要素は、前記着用可能要素内に形成された少なくとも１つのポケットを含む、システム。
（１６）  実施態様１５に記載のシステムにおいて、
前記少なくとも１つのポケットは、前記着用可能要素に対して移動可能である、システム。
（１７）  実施態様１５に記載のシステムにおいて、
前記少なくとも１つのポケットは、前記少なくとも１つのポケット内に位置され、かつ前記外部装置に電力を提供するように構成された、少なくとも１つの電池を含む、システム。
（１８）  実施態様１に記載のシステムにおいて、
前記植え込み可能制限装置は、胃バンド、および前記胃バンドと通信するハウジングを含む、システム。
【００４９】
（１９）  植え込み可能制限装置と通信するための方法において、
患者によって着用された着用可能要素上の複数の位置のうちの１つで外部装置を位置付けし、前記患者体内に植え込まれた植え込み可能制限装置上の植え込み可能通信部材と前記外部装置を整列させることと、
組織を介して無線信号を前記植え込み可能通信部材に転送するために前記外部装置を作動させることと、
を含む、方法。
（２０）  実施態様１９に記載の方法において、
前記外部装置は、皮膚表面上で前記植え込み可能通信部材に近接して、かつ前記着用可能要素から所与の距離だけ離れて、位置付けされる、方法。
（２１）  実施態様１９に記載の方法において、
前記着用可能要素は、複数の可撓性ストラップを含み、
前記外部装置は、前記植え込み可能通信部材に近接して、前記可撓性ストラップに取り外し可能にかみ合わされる、方法。
（２２）  実施態様１９に記載の方法において、
前記外部装置は、前記着用可能要素内のポケット内部に位置される、方法。
（２３）  実施態様１９に記載の方法において、
前記外部装置は、外部誘導コイルを具備し、
前記植え込み可能通信部材は、内部誘導コイルを具備し、
前記方法は、
電力を生み出すために前記外部コイルと前記内部コイルとの間の誘導結合を利用すること、
をさらに含む、方法。
（２４）  実施態様２３に記載の方法において、
電力結合を最大にするために、前記内部コイルと実質的に同じ周波数で共振するように前記外部コイルを同調させること、
をさらに含む、方法。
（２５）  実施態様１９に記載の方法において、
前記着用可能要素は、可撓性電池を具備し、
前記外部装置は、前記可撓性電池に連結し、かつ前記植え込み可能通信部材にエネルギーを送り、
前記エネルギーは、前記可撓性電池によって生み出される、方法。
（２６）  実施態様１９に記載の方法において、
前記外部装置は、前記植え込み可能通信部材にエネルギーを送る、方法。
（２７）  実施態様１９に記載の方法において、
前記外部装置は、前記植え込み可能通信部材からデータを受信する、方法。
【図面の簡単な説明】
【００５０】
【図１Ａ】図１Ａは、患者の胃に制限部を形成するために、患者に植え込まれた植え込み可能制限装置の概念図である。
【図１Ｂ】図１Ｂは、図１Ａの植え込み可能制限装置の斜視図である。
【図２Ａ】図２Ａは、着用可能要素の一実施形態の斜視図であり、着用可能要素は、その着用可能要素上の複数の位置に位置されたポケットを有し、かつポケット内部に位置された外部装置を含む。
【図２Ｂ】図２Ｂは、図２Ａの例示的ポケットの斜視図であり、外部装置がそのポケット内に位置されている。
【図２Ｃ】図２Ｃは、着用可能要素の別の実施形態の斜視図であり、着用可能要素は、その着用可能要素内に位置された複数のポケットを有する。
【図３Ａ】図３Ａは、着用可能要素の概念図であり、この着用可能要素は、植え込み可能通信部材と通信する、着用可能要素上に位置された外部装置を備えている。
【図３Ｂ】図３Ｂは、図３Ａの外部装置によって生み出された磁場の概念図である。
【図３Ｃ】図３Ｃは、着用可能要素の概念図であり、着用可能要素は、植え込み可能通信部材と通信する、着用可能要素上に位置された外部装置のアレイを有する。
【図４】図４は、着用可能要素の別の実施形態を着用している患者の斜視図であり、着用可能要素は、この着用可能要素に連結された外部装置であって、この外部装置から所与の距離だけ離れて、図１Ａの植え込み可能制限装置に近接して位置された外部装置に連結されている、外部装置を有する。
【図５Ａ】図５Ａは、着用可能要素のさらに別の実施形態の斜視図であり、この着用可能要素は、格子状の可撓性ストラップから形成されており、かつ複数の位置で着用可能要素に連結されうる第１および第２外部装置を含む。
【図５Ｂ】図５Ｂは、サスペンダーの形態の可撓性ストラップを有する、図４Ａの着用可能要素の代替実施形態である。
【図５Ｃ】図５Ｃは、「Ｖ」の形態の可撓性ストラップを有する、図４Ａの着用可能要素の代替実施形態である。
【図６Ａ】図６Ａは、ダブルクリップ要素の斜視図であり、このダブルクリップ要素は、外部装置に連結され、かつ着用可能要素に付着するように構成されている。
【図６Ｂ】図６Ｂは、シングルクリップ要素の斜視図であり、このシングルクリップ要素は、外部装置に連結されており、着用可能要素に付着し、かつ可撓性電池に電気的に接続されるように構成されている。
【図７Ａ】図７Ａは、可撓性電池から少なくとも部分的に形成された着用可能要素の別の実施形態の斜視図である。
【図７Ｂ】図７Ｂは、図６Ａの着用可能要素の斜視図であり、着用可能要素は、この着用可能要素に連結された外部装置を有する。
【図１Ａ】
0005615492.tif 000002
【図１Ｂ】
0005615492.tif 000003
【図２Ａ】
0005615492.tif 000004
【図２Ｂ】
0005615492.tif 000005
【図２Ｃ】
0005615492.tif 000006
【図３Ａ】
0005615492.tif 000007
【図３Ｂ】
0005615492.tif 000008
【図３Ｃ】
0005615492.tif 000009
【図４】
0005615492.tif 000010
【図５Ａ】
0005615492.tif 000011
【図５Ｂ】
0005615492.tif 000012
【図５Ｃ】
0005615492.tif 000013
【図６Ａ】
0005615492.tif 000014
【図６Ｂ】
0005615492.tif 000015
【図７Ａ】
0005615492.tif 000016
【図７Ｂ】
0005615492.tif 000017